【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
前記UEにおいて、前記UEのために各フレームの中のアップリンク持続時間を複数の送信単位にセグメント化するステップであって、各送信単位が複数の周波数のうちの単一の周波数で少なくとも1つのオン期間および少なくとも1つのオフ期間を備え、フレームが整数個の前記送信単位を備える、ステップと、
前記複数の送信単位に基づいてアップリンク通信を送信するステップとを備え、
前記複数の送信単位のうちの所与の送信単位ごとに、前記送信単位のオン期間の間、前記UEが、アップリンク通信を送信し、前記送信単位のオフ期間の間、前記UEが、アップリンク通信を送信することを控える、
方法。
【請求項２】
各送信単位が、複数のオン期間および複数のオフ期間を備える、請求項1に記載の方法。
【請求項３】
前記オン期間および前記オフ期間が、基地局によって構成されるか、またはフレームタイプごとに指定される、請求項1に記載の方法。
【請求項４】
各オン期間が各オフ期間よりも短い、請求項1に記載の方法。
【請求項５】
各オン期間が各オフ期間と同じ長さを有する、請求項1に記載の方法。
【請求項６】
各オン期間が、5ミリ秒という長さを備え、各オフ期間が、5ミリ秒という長さを備える、請求項1に記載の方法。
【請求項７】
前記UEの前記送信単位が、第2のUEの第2の送信単位と多重化され、前記UEの前記送信単位の前記オン期間が、前記第2のUEの前記第2の送信単位に対する第2のオフ期間に相当し、前記UEの前記送信単位の前記オフ期間が、前記第2のUEの前記第2の送信単位に対する第2のオン期間に相当する、請求項1に記載の方法。
【請求項８】
前記UEが、リッスンビフォアトーク(LBT)プロシージャを実行することなく前記アップリンク通信を送信する、請求項1に記載の方法。
【請求項９】
前記UEが、各送信単位または各オン期間におけるリッスンビフォアトーク(LBT)を条件として、前記アップリンク通信を送信する、請求項1に記載の方法。
【請求項１０】
前記送信単位に基づくスケジューリング単位の中で基地局からアップリンクスケジューリングを受信するステップ
をさらに備える、請求項1に記載の方法。
【請求項１１】
前記送信単位に基づくスケジューリング単位の中でアップリンク開始遅延を受信するステップ
をさらに備える、請求項1に記載の方法。
【請求項１２】
同じ送信単位内の復調基準信号(DMRS)送信および物理アップリンク共有チャネル(PUSCH)送信が、同じ冗長バージョン(RV)および同じスクランブリングシーケンスに基づく、請求項1に記載の方法。
【請求項１３】
前記ワイヤレス通信が拡張マシンタイプ通信(eMTC)を備える、請求項1に記載の方法。
【請求項１４】
ユーザ機器(UE)におけるワイヤレス通信のための装置であって、
前記UEにおいて、前記UEのために各フレームの中のアップリンク持続時間を複数の送信単位にセグメント化するための手段であって、各送信単位が複数の周波数のうちの単一の周波数で少なくとも1つのオン期間および少なくとも1つのオフ期間を備え、フレームが整数個の前記送信単位を備える、手段と、
前記複数の送信単位に基づいてアップリンク通信を送信するための手段とを備え、前記複数の送信単位のうちの所与の送信単位ごとに、前記送信単位のオン期間の間、前記UEが、アップリンク通信を送信し、前記送信単位のオフ期間の間、前記UEが、アップリンク通信を送信することを控える、
装置。
【請求項１５】
各送信単位が、複数のオン期間および複数のオフ期間を備える、請求項14に記載の装置。
【請求項１６】
前記オン期間および前記オフ期間が、基地局によって構成されるか、またはフレームタイプごとに指定される、請求項14に記載の装置。
【請求項１７】
各オン期間が各オフ期間よりも短い、請求項14に記載の装置。
【請求項１８】
各オン期間が各オフ期間と同じ長さを有する、請求項14に記載の装置。
【請求項１９】
各オン期間が、5ミリ秒という長さを備え、各オフ期間が、5ミリ秒という長さを備える、請求項14に記載の装置。
【請求項２０】
前記UEの前記送信単位が、第2のUEの第2の送信単位と多重化され、前記UEの前記送信単位の前記オン期間が、前記第2のUEの前記第2の送信単位に対する第2のオフ期間に相当し、前記UEの前記送信単位の前記オフ期間が、前記第2のUEの前記第2の送信単位に対する第2のオン期間に相当する、請求項14に記載の装置。
【請求項２１】
送信するための前記手段が、各送信単位または各オン期間におけるリッスンビフォアトーク(LBT)を条件として、前記アップリンク通信を送信する、請求項14に記載の装置。
【請求項２２】
前記UEが、リッスンビフォアトーク(LBT)プロシージャを実行することなく前記アップリンク通信を送信する、請求項14に記載の装置。
【請求項２３】
前記送信単位に基づくスケジューリング単位の中で基地局からアップリンクスケジューリングを受信するための手段
をさらに備える、請求項14に記載の装置。
【請求項２４】
前記送信単位に基づくスケジューリング単位の中でアップリンク開始遅延を受信するための手段
をさらに備える、請求項14に記載の装置。
【請求項２５】
同じ送信単位内の復調基準信号(DMRS)送信および物理アップリンク共有チャネル(PUSCH)送信が、同じ冗長バージョン(RV)および同じスクランブリングシーケンスに基づく、請求項14に記載の装置。
【請求項２６】
前記ワイヤレス通信が拡張マシンタイプ通信(eMTC)を備える、請求項14に記載の装置。
【請求項２７】
ユーザ機器(UE)におけるワイヤレス通信のための装置であって、
メモリと、
前記メモリに結合された少なくとも1つのプロセッサとを備え、前記プロセッサが、
前記UEにおいて、前記UEのために各フレームの中のアップリンク持続時間を複数の送信単位にセグメント化することであって、各送信単位が複数の周波数のうちの単一の周波数で少なくとも1つのオン期間および少なくとも1つのオフ期間を備え、フレームが整数個の前記送信単位を備える、ことと、
前記複数の送信単位に基づいてアップリンク通信を送信することとを行うように構成され、前記複数の送信単位のうちの所与の送信単位ごとに、前記送信単位のオン期間の間、前記UEが、アップリンク通信を送信し、前記送信単位のオフ期間の間、前記UEが、アップリンク通信を送信することを控える、
装置。
【請求項２８】
各送信単位が、複数のオン期間および複数のオフ期間を備える、請求項27に記載の装置。
【請求項２９】
前記オン期間および前記オフ期間が、基地局によって構成されるか、またはフレームタイプごとに指定される、請求項27に記載の装置。
【請求項３０】
各オン期間が各オフ期間よりも短い、請求項27に記載の装置。
【請求項３１】
各オン期間が各オフ期間と同じ長さを有する、請求項27に記載の装置。
【請求項３２】
各オン期間が、5ミリ秒という長さを備え、各オフ期間が、5ミリ秒という長さを備える、請求項27に記載の装置。
【請求項３３】
前記UEの前記送信単位が、第2のUEの第2の送信単位と多重化され、前記UEの前記送信単位の前記オン期間が、前記第2のUEの前記第2の送信単位に対する第2のオフ期間に相当し、前記UEの前記送信単位の前記オフ期間が、前記第2のUEの前記第2の送信単位に対する第2のオン期間に相当する、請求項27に記載の装置。
【請求項３４】
前記UEが、各送信単位または各オン期間におけるリッスンビフォアトーク(LBT)を条件として、前記アップリンク通信を送信する、請求項27に記載の装置。
【請求項３５】
前記UEが、リッスンビフォアトーク(LBT)プロシージャを実行することなく前記アップリンク通信を送信する、請求項27に記載の装置。
【請求項３６】
前記少なくとも1つのプロセッサが、
前記送信単位に基づくスケジューリング単位の中で基地局からアップリンクスケジューリングを受信するようにさらに構成される、
請求項27に記載の装置。
【請求項３７】
前記少なくとも1つのプロセッサが、
前記送信単位に基づくスケジューリング単位の中でアップリンク開始遅延を受信するようにさらに構成される、
請求項27に記載の装置。
【請求項３８】
同じ送信単位内の復調基準信号(DMRS)送信および物理アップリンク共有チャネル(PUSCH)送信が、同じ冗長バージョン(RV)および同じスクランブリングシーケンスに基づく、請求項27に記載の装置。
【請求項３９】
前記ワイヤレス通信が拡張マシンタイプ通信(eMTC)を備える、請求項27に記載の装置。
【請求項４０】
ユーザ機器(UE)におけるワイヤレス通信のためのコンピュータ実行可能コードを記憶するコンピュータ可読記憶媒体であって、
前記UEにおいて、前記UEのために各フレームの中のアップリンク持続時間を複数の送信単位にセグメント化することであって、各送信単位が複数の周波数のうちの単一の周波数で少なくとも1つのオン期間および少なくとも1つのオフ期間を備え、フレームが整数個の前記送信単位を備える、ことと、
前記複数の送信単位に基づいてアップリンク通信を送信することとを行うためのコードを備え、前記複数の送信単位のうちの所与の送信単位ごとに、前記送信単位のオン期間の間、前記UEが、アップリンク通信を送信し、前記送信単位のオフ期間の間、前記UEが、アップリンク通信を送信することを控える、
コンピュータ可読記憶媒体。
【請求項４１】
各送信単位が、複数のオン期間および複数のオフ期間を備える、請求項40に記載のコンピュータ可読記憶媒体。
【請求項４２】
前記オン期間および前記オフ期間が、基地局によって構成されるか、またはフレームタイプごとに指定される、請求項40に記載のコンピュータ可読記憶媒体。
【請求項４３】
各オン期間が各オフ期間よりも短い、請求項40に記載のコンピュータ可読記憶媒体。
【請求項４４】
各オン期間が各オフ期間と同じ長さを有する、請求項40に記載のコンピュータ可読記憶媒体。
【請求項４５】
各オン期間が、5ミリ秒という長さを備え、各オフ期間が、5ミリ秒という長さを備える、請求項40に記載のコンピュータ可読記憶媒体。
【請求項４６】
前記UEの前記送信単位が、第2のUEの第2の送信単位と多重化され、前記UEの前記送信単位の前記オン期間が、前記第2のUEの前記第2の送信単位に対する第2のオフ期間に相当し、前記UEの前記送信単位の前記オフ期間が、前記第2のUEの前記第2の送信単位に対する第2のオン期間に相当する、請求項40に記載のコンピュータ可読記憶媒体。
【請求項４７】
前記UEが、各送信単位または各オン期間におけるリッスンビフォアトーク(LBT)を条件として、前記アップリンク通信を送信する、請求項40に記載のコンピュータ可読記憶媒体。
【請求項４８】
前記UEが、リッスンビフォアトーク(LBT)プロシージャを実行することなく前記アップリンク通信を送信する、請求項40に記載のコンピュータ可読記憶媒体。
【請求項４９】
前記送信単位に基づくスケジューリング単位の中で基地局からアップリンクスケジューリングを受信するためのコード
をさらに備える、請求項40に記載のコンピュータ可読記憶媒体。
【請求項５０】
前記送信単位に基づくスケジューリング単位の中でアップリンク開始遅延を受信するためのコード
をさらに備える、請求項40に記載のコンピュータ可読記憶媒体。
【請求項５１】
同じ送信単位内の復調基準信号(DMRS)送信および物理アップリンク共有チャネル(PUSCH)送信が、同じ冗長バージョン(RV)および同じスクランブリングシーケンスに基づく、請求項40に記載のコンピュータ可読記憶媒体。
【請求項５２】
前記ワイヤレス通信が拡張マシンタイプ通信(eMTC)を備える、請求項40に記載のコンピュータ可読記憶媒体。